(57)【要約】      （修正有）【課題】静音性が高くお手入れ性が高いレンジフードを提供する。【解決手段】能動消音ユニット８は、音波を検知するリファレンスマイクロホン１３、１５および音波を放出するスピーカ１４を備えた消音風路１２を有し、送風部６の一側面は、中覆から下端部分を下部の回動軸を中心に開閉する開閉扉とし、この開閉扉の開閉に連結して消音風路１２を通風路５から着脱自在とした。これにより、回動軸を中心として開閉扉を開けることで、送風機４に近く吸込口２から遠い側が外側にくるように消音風路１２が取り出されるので、送風部６の側方から消音風路１２に手を入れることが可能となり、消音風路１２の奥側に付着した油分の清掃が簡単にできるようになる。また、消音風路１２と連結した開閉扉を開けることによってできた空間に手を入れることができるので、送風部６の内壁に付着した汚れも簡単に清掃することができる。【選択図】図２
2015064175.tif 000002
【特許請求の範囲】
【請求項１】
加熱調理器の上方において調理時に発生した空気を吸い込む吸込口を有するフード部と、このフード部の上方に配置し、フード部内の空気を上部に設けた送風機に案内する通風路を備えた筒状の送風部を備えたレンジフードであって、前記通風路内には送風機から伝搬する騒音を消音する能動消音ユニットを備え、前記能動消音ユニットは、音波を検知するマイクロホンおよび音波を放出するスピーカを備えた消音風路を有し、前記送風部の一側面は、中覆から下端部分を下部の回動軸を中心に開閉する開閉扉とし、この開閉扉の開閉に連結して前記消音風路を前記通風路から着脱自在としたレンジフード。
【請求項２】
開閉扉には、回動軸と、円軌道とこの円軌道から外周側に向けて設けた直線軌道を有する案内溝を備え、送風部の一側面側には、長円状の軸受けと前記開閉扉の動作時に前記案内溝内を通過する案内突起を備え、前記開閉扉の閉止時には、この前記回動軸は前記軸受けの下端に位置して、前記案内突起は前記直線軌道内に位置することを特徴とする請求項１記載のレンジフード。
【請求項３】
回転扉の回動軸は、回動可能に軸支する中空の軸部材を備え、前記能動消音ユニットを駆動させるための電気配線が前記軸部材の中空内部を通して配設されていることを特徴とする請求項１記載のレンジフード。
【請求項４】
フード内に送風機を運転するための送風機制御手段を備え、能動消音ユニットは前記マイクロホンからの信号を検知し演算処理を行って前記スピーカへの出力信号を制御する演算処理手段を備え、前記演算処理手段と前記送風機制御手段とを電気的に接続する電気配線が軸部材の中空内部を通して配設されていることを特徴とする、請求項１のレンジフード。
【発明の詳細な説明】
【技術分野】
【０００１】
本発明は、レンジフードの風路に付設してレンジフード運転時に発生する騒音を消音するための能動消音装置を備えたレンジフードに関するものである。
【背景技術】
【０００２】
近年、台所に設置されるレンジフードは運転時に発生する騒音を低下することが求められている。このような課題を解決する手段の一つとして、レンジフード内に能動消音ユニットを搭載するという方法が挙げられる。
【０００３】
従来、この種の能動消音ユニットとして、フード部内に風路から隔たれた空間を別途設け、その内部に能動消音ユニットを構成するマイクロホンやスピーカを配置した構造のものが知られている（例えば特許文献１参照）。
【０００４】
以下、そのレンジフードについて図６を参照しながら説明する。
【０００５】
図７に示すレンジフード１０１は、フード１０２内に送風機１０３と、下方から吸引する油煙を送風機１０３に導く通風路１０４とを備えている。送風機１０３の吐出口１０５に連結された排気ダクト１０６が室外に引き出され、吸引された調理時の煙等は外部に排気されるようになっている。またレンジフード１０１には能動消音ユニットとして、通風路１０４の外側に、スピーカ１０７と、マイクロホン１０８（図示せず）と、能動消音ユニットを運転する制御手段１０９を有している。制御手段１０９は、送風機１０３の運転時に騒音がマイクロホン１０８で検知された場合、この検知信号と逆位相の音をスピーカ１０７から発し、消音するように設定されている。これにより、送風機１０３の作動時にレンジフード１０１から室内に放出される騒音を低減する。
【０００６】
また、従来、マイクロホンおよびスピーカを通風路に面して設置し、風路と一体として構成した能動消音ユニットが知られている（例えば特許文献２参照）。
【０００７】
以下、その能動型消音装置について図７を参照しながら説明する。
【０００８】
図８に示すように、通風路２０１の上面にスピーカボックス２０２が板材２０３を介して載置され螺子２０４止めされている。スピーカボックス２０２は、内側にスピーカ２０５を備え、外側にマイクロホン２０６を保持している。スピーカ２０５とマイクロホン２０６は板材２０３を介して通風路２０１と連通している。スピーカ２０５とマイクロホン２０６は信号処理制御部（図示せず）と電気的に接続されている。
【０００９】
通風路２０１の上流（図８の左側）からの騒音が伝播する際、板材２０３を介してマイクロホン２０６にて検出され、電気信号に変換され信号処理制御部にて所定の信号処理をされてスピーカ２０５に供給され、消音音波に変換される。この消音音波は板材２０３を介して通風路２０１内に放出され、騒音と干渉し、騒音を消音するように作用する。
【先行技術文献】
【特許文献】
【００１０】
【特許文献１】特開２００５−３３７５８４号公報
【特許文献２】特開平７−７２８７３号公報
【発明の概要】
【発明が解決しようとする課題】
【００１１】
レンジフードの通風路内を伝搬し吸込口からキッチンや居室内に放出される騒音を消音するために送風部に能動消音ユニットを備え、能動消音ユニットを構成する消音風路を通風路内に配設した場合、調理時に発生する油煙を含む空気を吸込むことで消音風路内に油分が付着するため、消音風路を定期的に清掃する必要がある。消音風路の清掃を行うには、フードの吸込口から手を入れて清掃を行うか、もしくは、レンジフードの送風部から消音風路を取り外して清掃を行う必要があるが、レンジフードは高所に設置されているものなので消音風路の奥側まで手を入れて清掃することが難しく、また、能動消音ユニットに接続されている電気配線の取外しや取付けといった複雑で高度な作業が必要なため、お手入れ性の向上が求められるものであった。よって、本発明は上記課題を解決し静音性が高くお手入れ性の高いレンジフードを提供することを目的とする。
【課題を解決するための手段】
【００１２】
そして、この目的を達成するために本発明は、能動消音ユニットは、音波を検知するマイクロホンおよび音波を放出するスピーカを備えた消音風路を有し、送風部の一側面は、中覆から下端部分を下部の回動軸を中心に開閉する開閉扉とし、この開閉扉の開閉に連結して消音風路を通風路から着脱自在としたことを特徴とするものであり、これにより所期の目的を達成するものである。
【発明の効果】
【００１３】
本発明によれば、消音風路の清掃を簡単に行うことができるので、静音性が高くお手入れ性の高いレンジフードを提供することができるものである。
【図面の簡単な説明】
【００１４】
【図１】本発明の実施の形態１のレンジフードの取付状態を示す概略図
【図２】同レンジフードの構成を示す概略正面断面図
【図３】同レンジフードの構成を示す概略側面断面図
【図４】同開閉扉の回動軸および案内溝の構成を示す概略斜視図
【図５】同送風部の軸受けおよび案内突起の構成を示す概略斜視図
【図６】本発明の実施の形態２のレンジフードの構成を示す概略正面図
【図７】従来の能動消音ユニットが設けられたレンジフードの構成を示す概略断面図
【図８】従来の通風路に設けられた能動消音ユニットの構成を示す概略断面図
【発明を実施するための形態】
【００１５】
本発明の請求項１記載のレンジフードは、加熱調理器の上方において調理時に発生した空気を吸い込む吸込口を有するフード部と、このフード部の上方に配置し、フード部内の空気を上部に設けた送風機に案内する通風路を備えた筒状の送風部を備えたレンジフードであって、前記通風路内には送風機から伝搬する騒音を消音する能動消音ユニットを備え、
前記能動消音ユニットは、音波を検知するマイクロホンおよび音波を放出するスピーカを備えた消音風路を有し、前記送風部の一側面は、中腹から下端部分を下部の回動軸を中心に開閉する開閉扉とし、この開閉扉の開閉に連結して前記消音風路を前記通風路から着脱自在としたことを特徴とするものである。
【００１６】
このようにすると、回動軸を中心として開閉扉を開けることで消音風路の奥側、すなわち、送風機に近く吸込口から遠い側が外側にくるように消音風路が取り出されるので、送風部の側方から消音風路に手を入れることが可能となり、消音風路の奥側に付着した油分の清掃が簡単にできるようになる。また、消音風路と連結した開閉扉を開けることによってできた空間に手を入れることができるようになるので、送風部の内壁に付着した汚れも簡単に清掃することができる。
【００１７】
また、開閉扉には、回動軸と、円軌道とこの円軌道から外周側に向けて設けた直線軌道を有する案内溝を備え、送風部の一側面側には、長円状の軸受けと前記開閉扉の動作時に前記回動案内溝内を通過する案内突起を備え、前記開閉扉の閉止時には、この前記回動軸は前記軸受けの下端に位置して、前記案内突起は前記直線軌道内に位置する構成としてもよい。
【００１８】
このようにすると、消音風路は一度上に持ち上がらないと傾かないようになるため、レンジフードの運転時の送風機の振動によって消音風路がぐらついて異音を発するのを抑制することができる。
【００１９】
また、回転扉の回動軸は、回動可能に軸支する中空の軸部材を備え、前記能動消音ユニットを駆動させるための電気配線が前記軸部材の中空内部を通して配設されている構成としてもよい。
【００２０】
このようにすると、能動消音ユニットを駆動させるための電気配線が回転軸となる中空の軸部材の内部を通して配設されているので、能動消音ユニットの清掃の際に繰返して倒したり戻したりしても噛み込みによって電気配線を傷めることがなくなるものである。
【００２１】
また、フード内に送風機を運転するための送風機制御手段を備え、能動消音ユニットは前記マイクロホンからの信号を検知し演算処理を行って前記スピーカへの出力信号を制御する演算処理手段を備え、前記演算処理手段と前記送風機制御手段とを電気的に接続する電気配線が軸部材の中空内部を通して配設されている構成としてもよい。
【００２２】
このようにすると送風機の風量ノッチの変更に連動して能動消音の制御アルゴリズムの変更を行い、常に最適な消音効果を発揮させることができる。
【００２３】
このようにして、静音性が高くお手入れ性の高いレンジフードを提供できるものである。
【００２４】
以下、本発明の実施の形態について図面を参照しながら説明する。
【００２５】
（実施の形態１）
本発明における実施の形態１の構成および動作について、図１〜図５を参照しながら説明する。
【００２６】
図１および図２に示すように、本発明の実施の形態１におけるレンジフードは、加熱調理機１の上方において、キッチンの天井から懸架され調理時に発生した油煙を含んだ空気を吸い込む吸込口２を有するフード部３と、フード部３内の空気を上部に設けた送風機４に案内する通風路５を備えた中空の直方体形状の送風部６と、フード部３の上部に設けられ図示しないダクトと接続し屋外へと連通する吐出口７と、通風路５内には送風機４から伝搬する騒音を消音する能動消音ユニット８によって構成されている。
【００２７】
そして、吸込口２の下方には、上部が開口した箱形状の整流板９が吸込口２を覆うように設けられ、下方から上昇してきた油煙がフード部３前方（図２の正面側）に漏れ出ないよう、整流板９の前方側から吸込まれる風量が多くなるように配置されている。
【００２８】
吸込口２には、通風路５に吸込まれる油煙を含んだ空気から油滴を除去するためのフィルタ１０が備えられている。
【００２９】
フード部３内には、送風機４を動作させる送風機制御手段１１が設けられており、送風機４によって排気される風量を調節することができる。
【００３０】
能動消音ユニット８は、上方および下方が開口し通風路５の一部を構成する筒状の消音風路１２と、消音風路１２の内側壁面に配設され通風路５内を伝搬する騒音を検出するリファレンスマイクロホン１３と、消音風路１２の内側壁面に配設されリファレンスマイクロホン１３によって検出された信号と逆位相の信号を放出するスピーカ１４と、消音風路１２の内側壁面に配設されスピーカ１４によって放出された音によって減衰した騒音を検出するエラーマイクロホン１５と、消音風路１２の外側壁面に設けられリファレンスマイクロホン１３によって検出された信号を検知して演算処理を行い、リファレンスマイクロホン１３の検出信号と逆位相の信号をスピーカ１４から放出させるための演算処理手段１６と、によって構成されている。
【００３１】
リファレンスマイクロホン１３、スピーカ１４およびエラーマイクロホン１５は、消音風路１２の吸込口２側からみて、エラーマイクロホン１５、スピーカ１４、リファレンスマイクロホン１３の順になるように配置されている。
【００３２】
能動消音ユニット８はフード部３内部の吸込口２の上方かつ送風機４の下方に設けられており、能動消音ユニット８の消音風路１２が、通風路５の吸込口２と送風機４との間の一部分を構成するように配置されている。
【００３３】
図３に示すように、送風部６の一側面は、中腹から下端部分を下部の回動軸１７を中心に開閉する開閉扉１８となっており、開閉扉１８と消音風路１２は連結して一体として回動可能となっている。回動軸１７として開閉扉１８の左右外側壁面の前方下部には中空の円筒状の軸部材１９が備えられている。
【００３４】
図４に示すように、開閉扉１８には円軌道２０と、この円軌道２０から外周側に向けて設けた直線軌道２１を有する案内溝２２が備えられ、また、図５に示すように送風部６の下部には、長円状の軸受け２３と、開閉扉１８の動作時に案内溝２２内を通過する案内突起２４が備えられている。
【００３５】
開閉扉１８が閉止時には回動軸としての軸部材１９は軸受け２３の下端に位置し、案内突起２４は直線軌道２１内に位置している。開閉扉１８を開く際には、消音風路１２を一度上方に移動させると軸部材１９が軸受け２３の上端に移動し、案内突起２４が円軌道２０に位置するように移動する。そして、消音風路１２を前方に倒すと、軸部材１９が軸受け２３の上端に位置したまま、案内突起２４が円軌道２０に沿って移動し、円軌道の終端２５に移動する。
【００３６】
案内溝２２の円軌道２０の端と端の間の角度Ａは所定の角度に設定されており、開閉扉１８を開止時としたときを０度とすると、消音風路１２は１３５度まで開けることができるようになっている。すなわち、前述したように開閉扉１８を開く際に回転軸となる軸部材１９が上方に移動するようにしているので、開閉扉１８を開いた状態では軸部材１９が持ち上がって外側下がりの傾斜がつくようになり、１３５度の角度まで開くことができる。また、最大角度を１３５度よりも小さくすることで送風部６の側方から消音風路１２の内部に手を入れやすいようになっている。
【００３７】
図２に戻るが、送風機制御手段１１と演算処理手段１６とは電気配線２６によって電気的に接続され、電気配線２６は軸部材１９の中空内部を通るようにして設けられている。
【００３８】
図２および図３に示すように、軸部材１９の円筒面には電気配線２６を通すために開口した配線穴２７が設けられている。電気配線２６の一端は消音風路１２の側面に備えられた演算処理手段１６と電気的に接続されている。電気配線２６は配線穴２７を介して軸部材１９内に入り、軸部材１９内を軸方向に通って軸部材１９の端から外に出るように配線されている。電気配線２６の他端は送風機制御手段１１と電気的に接続されている。
【００３９】
次に、本発明の実施の形態１におけるレンジフードの動作について説明する。
【００４０】
運転開始時には開閉扉１８は閉止位置となっている。送風機制御手段１１により送風機４を運転させると、図２の矢符２８に示すように吸込口２より油煙を含んだ空気が通風路５内に吸込まれる。吸込口２から通風路５内に吸込まれた油煙を含んだ空気はフィルタ１０によって油分を除去される。フィルタ１０を通過した空気は消音風路１２内を通過し、送風機４に吸込まれる。送風機４に吸込まれて昇圧された空気は吐出口７へと送風され、吐出口７に接続された図示しないダクトを通って屋外へと排気される。
【００４１】
このとき送風機４の運転により発生した騒音は通風路５内を伝搬し、一部は吐出口７を通って屋外へと放出されるが、一部は吸込口２より屋内へと放出される。
【００４２】
通風路５内を伝搬し吸込口２から屋内へと放出される騒音は、能動消音ユニット８の作用により、消音風路１２を通過する際に減衰する。すなわち、演算処理手段１６の作用によってリファレンスマイクロホン１３にて検知された信号と逆位相となる信号をスピーカ１４から消音風路１２内に放出することで、消音風路１２内を伝搬する騒音を減衰する。減衰された騒音はエラーマイクロホン１５によって検出され、演算処理手段１６によってリファレンスマイクロホン１３で検出された信号と比較することで消音効果を確認される。消音効果の大小に基づき演算処理手段１６に予め設定されている制御アルゴリズムによりスピーカ１４への出力信号が修正され、消音効果を最適化することができる。
【００４３】
また、レンジフードを長期間動作させると、フィルタ１０で除去できなかった油分が消音風路１２および送風部６の内側壁面に付着して異臭などが発生するため、定期的に清掃を行う必要がある。
【００４４】
ここで、本発明の実施の形態１では上記構成としたので、消音風路１２を開閉扉１８とともに前面側に回転させることで、送風部６から能動消音ユニット８を取り外さなくても消音風路１２に直接手を入れることが可能となるので、消音風路１２の清掃が簡単にできるようになり、また、消音風路１２を前面に回転させることによってできる空間に手を入れることができるようになるので、送風部６の内壁に付着した汚れも簡単に清掃することができる。
【００４５】
そして、案内溝２２および案内突起２４によって消音風路１２の傾きを９０度〜１３５度の間の所定の角度に固定することができる。レンジフードはキッチンの天井から懸架されており、高い位置に備え付けられているため清掃作業者は踏み台等に乗って状態でさらに腕を上げ、消音風路１２内に手を入れて清掃作業を行う。このとき、消音風路１２の傾きは垂直方向に対して９０度〜１３５度の間の値の所定の角度であるため前方から手を入れやすく、また、作業者の腕の角度と消音風路１２の傾斜角度との差が相対的に小さくなるような角度で固定されるので、前方からみた消音風路１２の奥のほうまで手を入れやすくなっている。
【００４６】
また、清掃する際に、送風機制御手段１１と演算処理手段１６とは電気配線２６によって接続されているため、消音風路１２を倒したときに電気配線２６を引きちぎらないよう消音風路１２が回転移動する距離に相当する長さの電気配線を送風部６内に余らせておく必要があり、清掃後に開閉扉１８を閉止位置に戻すときにこの余った電気配線２６を消音風路１２と送風部６との間に噛み込ませて破損させたり、電気配線２６の繰返し屈曲によって断線させたりする可能性があったが、電気配線２６を軸部材１９の内部を通過するようにしたので、軸部材１９は回動軸であるため消音風路１２を回動させても電気配線２６を送風部６の外に引っ張り出す必要がなく、また、電気配線２６を余らせておく必要がないので開閉扉１８を閉止位置に戻す際に噛み込みや屈曲が生じないので、破損させる可能性がないものとなっている。
【００４７】
また、送風機制御手段１１と演算処理手段１６とを電気的に接続しているので、送風機４の運転に連動して能動消音ユニット８を作動させることができる。例えば、送風機４の風量ノッチの変更に連動して能動消音の制御アルゴリズムの変更を行い、最適な消音効果を発揮させることができる。
【００４８】
以上説明したように、本発明のレンジフードは静音性が高くお手入れ性の高いものである。
【００４９】
なお、本実施の形態では、開閉扉１８は、送風部６の一側面は、中腹から下端部分を下部の回動軸１７を中心に開閉するように設けたことを説明した。一側面とは、レンジフードの正面であっても側面であっても背面であっても、開閉扉１８の前方に壁、吊戸棚とが設置されていないようにできる面であれば、本発明の作用効果に差異が生じないことはいうまでもない。
【００５０】
（実施の形態２）
本発明の実施の形態２における構成について、図６を参照しながら説明する。なお、実施の形態１と同様の構成要素については同一の符号を付し、その詳細な説明は省略する。
【００５１】
実施の形態１では能動消音ユニット８の消音風路１２の外側壁面に演算処理手段１６を設けた構成としたが、実施の形態２では能動消音ユニット８ではなく送風部６の内側壁面に演算処理手段１６を設けている。このように、演算処理手段１６を消音風路１２とは別の位置に設けているので、送風部６内の消音風路１２が占める容積を最大化することができ、消音風路１２の風路幅をより拡大できるようになる。風路幅の拡大によって消音風路１２の中に手を入れやすくすることができるので、お手入れ性をより高めることができるようになるものである。
【産業上の利用可能性】
【００５２】
本発明にかかるレンジフードは、静音性が高くお手入れ性が高いものであるので、静音性が求められる家庭もしくは店舗用の排気装置として有用である。
【符号の説明】
【００５３】
１  加熱調理機
２  吸込口
３  フード部
４  送風機
５  通風路
６  送風部
８  能動消音ユニット
１１  送風機制御手段
１２  消音風路
１３  リファレンスマイクロホン
１４  スピーカ
１５  エラーマイクロホン
１６  演算処理手段
１８  開閉扉
１９  軸部材
２０  円軌道
２１  直線軌道
２２  案内溝
２３  軸受け
２４  案内突起
２６  電気配線
【図１】
2015064175.tif 000003
【図２】
2015064175.tif 000004
【図３】
2015064175.tif 000005
【図４】
2015064175.tif 000006
【図５】
2015064175.tif 000007
【図６】
2015064175.tif 000008
【図７】
2015064175.tif 000009
【図８】
2015064175.tif 000010